【手続補正書】
【提出日】平成26年10月7日(2014.10.7)
【手続補正１】
【補正対象書類名】特許請求の範囲
【補正対象項目名】全文
【補正方法】変更
【補正の内容】
【特許請求の範囲】
【請求項１】
少なくとも１つのＩＴＥ型マイクロホン（２６，２６−１，・・・２６−Ｎ）および少なくとも１つのＢＴＥ型マイクロホン（１４，１４−１，・・・１４−Ｍ）を有するＢＴＥ型補聴器（１０）のパラメータを決定する方法であって、
空間的キューを含む伝達関数を決定するステップと、
方向ｌに対する前記少なくとも１つのＩＴＥ型マイクロホンのｉ番目のマイクロホンの補聴器関連伝達関数Ｈｌ，ｉＩＥＣ（ｆ）を決定するステップと、
前記少なくとも１つのＢＴＥ型マイクロホンのｊ番目のマイクロホンの補聴器関連伝達関数Ｈｌ，ｊＢＴＥＣ（ｆ）を決定するステップと、
前記少なくとも１つのＩＴＥ型マイクロホンのオーディオ音声信号をフィルタリングする少なくとも１つのキューフィルタ（４２−１，・・・４２−Ｎ）のｉ番目のキューフィルタの伝達関数ＧｉＩＥＣ（ｆ）を決定するステップと、
前記少なくとも１つのＢＴＥ型マイクロホンのオーディオ音声信号をフィルタリングする少なくとも１つのキューフィルタ（４４−１，・・・４４−Ｍ）のｊ番目のキューフィルタの伝達関数ＧｊＢＴＥＣ（ｆ）を決定するステップと、
を含み、
前記伝達関数ＧｉＩＥＣ（ｆ）および前記伝達関数ＧｊＢＴＥＣ（ｆ）は、前記空間的キューを含む伝達関数と、前記補聴器関連伝達関数Ｈｌ，ｉＩＥＣ（ｆ）と、前記補聴器関連伝達関数Ｈｌ，ｊＢＴＥＣ（ｆ）と、に基づく最小化問題の解を得ることによって、処理装置を使用して決定される、方法。
【請求項２】
前記空間的キューを含む伝達関数は、頭部伝達関数ＨＲＴＦｌ（ｆ）であり、
前記最小化問題は、方程式：
【数１】
2014140162.tif 000001
によって与えられ、
Ｗ（ｌ）は、角度重み付け係数であり、
Ｗ（ｆ）は、周波数依存性重み付け係数であり、
ｐは、正の整数である、請求項１に記載の方法。
【請求項３】
前記少なくとも１つのＩＴＥ型マイクロホンの前記ｉ番目のマイクロホンと関連付けられたフィードバック経路の伝達関数ＨＦＢ，ｉＩＥＣ（ｆ）を決定するステップと、
前記少なくとも１つのＢＴＥ型マイクロホンの前記ｊ番目のマイクロホンと関連付けられたフィードバック経路の伝達関数ＨＦＢ，ｊＢＴＥＣ（ｆ）を決定するステップと、
をさらに含む、請求項１又は２に記載の方法。
【請求項４】
前記空間的キューを含む伝達関数は、頭部伝達関数ＨＲＴＦｌ（ｆ）であり、
前記方法は、
【数２】
2014140162.tif 000002
に従って、
【数３】
2014140162.tif 000003
の解を得ること、又は、
【数４】
2014140162.tif 000004
の解を得ること、によって、前記少なくとも１つのＩＴＥ型マイクロホンと関連付けられた前記少なくとも１つのキューフィルタのフィルタ係数、および、前記少なくとも１つのＢＴＥ型マイクロホンと関連付けられた前記少なくとも１つのキューフィルタのフィルタ係数を決定するステップであって、ＭＳＧ（ｆ）は最大安定利得であり、αは、空間的キュー精度およびフィードバック性能のバランスをとる重み付け係数である、前記ステップをさらに含む、請求項３に記載の方法。
【請求項５】
前記空間的キューを含む伝達関数は、頭部伝達関数ＨＲＴＦｌ（ｆ）であり、
前記頭部伝達関数ＨＲＴＦｌ（ｆ）は、補聴器関連伝達関数Ｈｌ，ｒｅｆＩＴＥＣ（ｆ）を使用して決定され、前記少なくとも１つのＩＴＥ型マイクロホンのオーディオ音声信号をフィルタリングする前記少なくとも１つのキューフィルタのフィルタ係数、および、前記少なくとも１つのＢＴＥ型マイクロホンのオーディオ音声信号をフィルタリングする前記少なくとも１つのキューフィルタのフィルタ係数は、
【数５】
2014140162.tif 000005
に従って、
方程式：
【数６】
2014140162.tif 000006
の解を得ることによって決定され、
ＭＳＧ（ｆ）は最大安定利得である、請求項３に記載の方法。
【請求項６】
前記空間的キューを含む伝達関数は、頭部伝達関数ＨＲＴＦｌ（ｆ）であり、
前記頭部伝達関数ＨＲＴＦｌ（ｆ）は、補聴器関連伝達関数Ｈｌ，ｒｅｆＩＴＥＣ（ｆ）を使用して決定され、前記少なくとも１つのＩＴＥ型マイクロホンのオーディオ音声信号をフィルタリングする前記少なくとも１つのキューフィルタのフィルタ係数、および、前記少なくとも１つのＢＴＥ型マイクロホンのオーディオ音声信号をフィルタリングする前記少なくとも１つのキューフィルタのフィルタ係数は、方程式：
【数７】
2014140162.tif 000007
の解を得ることによって決定され、
αは、空間的キュー精度およびフィードバック性能のバランスをとる重み付け係数である、請求項３に記載の方法。
【請求項７】
前記空間的キューを含む伝達関数は、頭部伝達関数ＨＲＴＦｌ（ｆ）であり、
前記頭部伝達関数ＨＲＴＦｌ（ｆ），前記補聴器関連伝達関数Ｈｌ，ｉＩＥＣ（ｆ），および前記補聴器関連伝達関数Ｈｌ，ｊＢＴＥＣ（ｆ）を決定する前記ステップは、前記補聴器が人工頭部上に取り付けられた状態で実行される、請求項１に記載の方法。
【請求項８】
前記空間的キューを含む伝達関数は、頭部伝達関数ＨＲＴＦｌ（ｆ）であり、
前記頭部伝達関数ＨＲＴＦｌ（ｆ），前記補聴器関連伝達関数Ｈｌ，ｉＩＥＣ（ｆ），および前記補聴器関連伝達関数Ｈｌ，ｊＢＴＥＣ（ｆ）を決定する前記ステップは、複数の使用者について実行され、
前記少なくとも１つのＢＴＥ型マイクロホンのオーディオ音声信号をフィルタリングする前記少なくとも１つのキューフィルタのフィルタ係数は、前記複数の使用者の前記頭部伝達関数ＨＲＴＦｌ（ｆ）の平均値、前記補聴器関連伝達関数Ｈｌ，ｉＩＥＣ（ｆ）の平均値および前記補聴器関連伝達関数Ｈｌ，ｊＢＴＥＣ（ｆ）の平均値に基づいて決定される、請求項１に記載の方法。
【請求項９】
前記補聴器は、複数の周波数チャネルを有し、
前記少なくとも１つのＩＴＥ型マイクロホンのオーディオ音声信号をフィルタリングする前記少なくとも１つのキューフィルタのフィルタ係数、および、前記少なくとも１つのＢＴＥ型マイクロホンのオーディオ音声信号をフィルタリングする前記少なくとも１つのキューフィルタのフィルタ係数は、前記周波数チャネルの１つまたは複数において決定される、請求項１に記載の方法。
【請求項１０】
難聴補正が前記少なくとも１つのＩＴＥ型マイクロホンの出力にのみ実行されるように、前記周波数チャネルの１つまたは複数において前記少なくとも１つのＢＴＥ型マイクロホンを切断するステップをさらに含む、請求項９に記載の方法。
【請求項１１】
前記少なくとも１つのＩＴＥ型マイクロホンのオーディオ音声信号をフィルタリングする前記少なくとも１つのキューフィルタによって、または、前記少なくとも１つのＢＴＥ型マイクロホンのオーディオ音声信号をフィルタリングする前記少なくとも１つのキューフィルタによって、または、それらの両方によって出力された、フィルタリング済みのオーディオ音声信号の組み合わせに基づいて難聴補正済みの出力信号を生成するステップをさらに含む、請求項１に記載の方法。
【請求項１２】
Ｗ（ｌ）＝１である、請求項２に記載の方法。
【請求項１３】
Ｗ（ｆ）＝１である、請求項２に記載の方法。
【請求項１４】
ｐ＝２である、請求項２に記載の方法。
【請求項１５】
少なくとも１つのＩＴＥ型マイクロホン（２６，２６−１，・・・２６−Ｎ）および少なくとも１つのＢＴＥ型マイクロホン（１４，１４−１，・・・１４−Ｍ）を有するＢＴＥ型補聴器（１０）のパラメータを決定するための装置であって、
空間的キューを含む伝達関数を決定し、
方向ｌに対する前記少なくとも１つのＩＴＥ型マイクロホンのｉ番目のマイクロホンの補聴器関連伝達関数Ｈｌ，ｉＩＥＣ（ｆ）を決定し、
前記少なくとも１つのＢＴＥ型マイクロホンのｊ番目のマイクロホンの補聴器関連伝達関数Ｈｌ，ｊＢＴＥＣ（ｆ）を決定し、
前記少なくとも１つのＩＴＥ型マイクロホンのオーディオ音声信号をフィルタリングする少なくとも１つのキューフィルタ（４２−１，・・・４２−Ｎ）のｉ番目のキューフィルタの伝達関数ＧｉＩＥＣ（ｆ）を決定し、
前記少なくとも１つのＢＴＥ型マイクロホンのオーディオ音声信号をフィルタリングする少なくとも１つのキューフィルタ（４４−１，・・・４４−Ｍ）のｊ番目のキューフィルタの伝達関数ＧｊＢＴＥＣ（ｆ）を決定するように構成された処理装置を含み、
前記処理装置は、前記空間的キューを含む伝達関数と、前記補聴器関連伝達関数Ｈｌ，ｉＩＥＣ（ｆ）と、前記補聴器関連伝達関数Ｈｌ，ｊＢＴＥＣ（ｆ）と、に基づく最小化問題の解を得ることによって、前記伝達関数ＧｉＩＥＣ（ｆ）および前記伝達関数ＧｊＢＴＥＣ（ｆ）を決定するように構成される、装置。
【請求項１６】
前記空間的キューを含む伝達関数は、頭部伝達関数ＨＲＴＦｌ（ｆ）であり、
前記最小化問題は、方程式：
【数８】
2014140162.tif 000008
によって与えられ、
Ｗ（ｌ）は、角度重み付け係数であり、
Ｗ（ｆ）は、周波数依存性重み付け係数であり、
ｐは、正の整数である、請求項１５に記載の装置。
【請求項１７】
前記処理装置は、
前記少なくとも１つのＩＴＥ型マイクロホンの前記ｉ番目のマイクロホンと関連付けられたフィードバック経路の伝達関数ＨＦＢ，ｉＩＥＣ（ｆ）を決定し、
前記少なくとも１つのＢＴＥ型マイクロホンの前記ｊ番目のマイクロホンと関連付けられたフィードバック経路の伝達関数ＨＦＢ，ｊＢＴＥＣ（ｆ）を決定する
ようにさらに構成される、請求項１５又は１６に記載の装置。
【請求項１８】
前記空間的キューを含む伝達関数は、頭部伝達関数ＨＲＴＦｌ（ｆ）であり、
前記処理装置は、
【数９】
2014140162.tif 000009
に従って、
【数１０】
2014140162.tif 000010
の解を得ること、又は、
【数１１】
2014140162.tif 000011
の解を得ること、によって、前記少なくとも１つのＩＴＥ型マイクロホンと関連付けられた前記少なくとも１つのキューフィルタのフィルタ係数、および、前記少なくとも１つのＢＴＥ型マイクロホンと関連付けられた前記少なくとも１つのキューフィルタのフィルタ係数を決定するようにさらに構成されており、ＭＳＧ（ｆ）は最大安定利得であり、αは、空間的キュー精度およびフィードバック性能のバランスをとる重み付け係数である、請求項１７に記載の装置。
【請求項１９】
前記空間的キューを含む伝達関数は、頭部伝達関数ＨＲＴＦｌ（ｆ）であり、
前記頭部伝達関数ＨＲＴＦｌ（ｆ）は、補聴器関連伝達関数Ｈｌ，ｒｅｆＩＴＥＣ（ｆ）に基づき、
前記処理装置は、
【数１２】
2014140162.tif 000012
に従って、
方程式：
【数１３】
2014140162.tif 000013
の解を得ることによって、前記少なくとも１つのＩＴＥ型マイクロホンと関連付けられた前記少なくとも１つのキューフィルタのフィルタ係数、および、前記少なくとも１つのＢＴＥ型マイクロホンと関連付けられた前記少なくとも１つのキューフィルタのフィルタ係数を決定するようにさらに構成され、
ＭＳＧ（ｆ）は最大安定利得である、請求項１７に記載の装置。
【請求項２０】
前記空間的キューを含む伝達関数は、頭部伝達関数ＨＲＴＦｌ（ｆ）であり、
前記頭部伝達関数ＨＲＴＦｌ（ｆ）は、補聴器関連伝達関数Ｈｌ，ｒｅｆＩＴＥＣ（ｆ）に基づき、前記処理装置は、方程式：
【数１４】
2014140162.tif 000014
の解を得ることによって、前記少なくとも１つのＩＴＥ型マイクロホンのオーディオ音声信号をフィルタリングする前記少なくとも１つのキューフィルタのフィルタ係数、および、前記少なくとも１つのＢＴＥ型マイクロホンのオーディオ音声信号をフィルタリングする前記少なくとも１つのキューフィルタのフィルタ係数を決定するように構成され、
αは、空間的キュー精度およびフィードバック性能のバランスをとる重み付け係数である、請求項１７に記載の装置。
【請求項２１】
前記空間的キューを含む伝達関数は、頭部伝達関数ＨＲＴＦｌ（ｆ）であり、
前記処理装置は、前記補聴器が人工頭部上に取り付けられた状態で、前記頭部伝達関数ＨＲＴＦｌ（ｆ），前記補聴器関連伝達関数Ｈｌ，ｉＩＥＣ（ｆ），および前記補聴器関連伝達関数Ｈｌ，ｊＢＴＥＣ（ｆ）を決定する、請求項１５に記載の装置。
【請求項２２】
前記空間的キューを含む伝達関数は、頭部伝達関数ＨＲＴＦｌ（ｆ）であり、
前記処理装置は、複数の使用者について、前記頭部伝達関数ＨＲＴＦｌ（ｆ），前記補聴器関連伝達関数Ｈｌ，ｉＩＥＣ（ｆ），および前記補聴器関連伝達関数Ｈｌ，ｊＢＴＥＣ（ｆ）を決定し、
前記処理装置は、前記複数の使用者の前記頭部伝達関数ＨＲＴＦｌ（ｆ）の平均値、前記補聴器関連伝達関数Ｈｌ，ｉＩＥＣ（ｆ）の平均値および前記補聴器関連伝達関数Ｈｌ，ｊＢＴＥＣ（ｆ）の平均値に基づいて、前記少なくとも１つのＢＴＥ型マイクロホンのオーディオ音声信号をフィルタリングする前記少なくとも１つのキューフィルタのフィルタ係数を決定する、請求項１５に記載の装置。
【請求項２３】
前記ＢＴＥ型補聴器は、複数の周波数チャネルを有し、
前記処理装置は、前記周波数チャネルの１つまたは複数において、前記少なくとも１つのＩＴＥ型マイクロホンのオーディオ音声信号をフィルタリングする前記少なくとも１つのキューフィルタのフィルタ係数、および、前記少なくとも１つのＢＴＥ型マイクロホンのオーディオ音声信号をフィルタリングする前記少なくとも１つのキューフィルタのフィルタ係数を決定するように構成される、請求項１５に記載の装置。
【請求項２４】
前記処理装置は、難聴補正が前記少なくとも１つのＩＴＥ型マイクロホンの出力にのみ実行されるように、前記周波数チャネルの１つまたは複数において前記少なくとも１つのＢＴＥ型マイクロホンを切断するようにさらに構成される、請求項２３に記載の装置。
【請求項２５】
前記処理装置は、前記少なくとも１つのＩＴＥ型マイクロホンのオーディオ音声信号をフィルタリングする前記少なくとも１つのキューフィルタによって、または、前記少なくとも１つのＢＴＥ型マイクロホンのオーディオ音声信号をフィルタリングする前記少なくとも１つのキューフィルタによって、または、それらの両方によって出力された、フィルタリングされたオーディオ音声信号の組み合わせに基づいて難聴補正済みの出力信号を生成するようにさらに構成される、請求項１５に記載の装置。
【請求項２６】
Ｗ（ｌ）＝１である、請求項１６に記載の装置。
【請求項２７】
Ｗ（ｆ）＝１である、請求項１６に記載の装置。
【請求項２８】
ｐ＝２である、請求項１６に記載の装置。